(57)【要約】【課題】複合板を利用した仕切り壁構造であって、少ない部品数で且つ簡単に施工でき、しかも、外圧による変形や揺れを生じることのない剛性に優れた仕切り壁構造を提供する。【解決手段】仕切り壁構造は、樹脂シートの両面に金属シートを積層した複合板からなる壁パネル１と、室内の間仕切り位置に敷設された床側受部材４ａ及び天井側受部材４ｂとを備え、壁パネル１は、２枚を突き合わせることにより箱状の壁体１Ａ，１Ｂ・・を構成すると共に、壁体１Ａ，１Ｂ・・は、床側受部材４ａと天井側受部材４ｂに渡って収められ且つ複数組配列される。互いに隣接する壁体１Ａ，１Ｂ・・の側面には、Ｌ字状のスペーサー３が取り付けられており、隣接する壁体の１Ａ，１Ｂ・・スペーサー３，３同士が引掛けられている。【選択図】図１
2013217094.tif 000002
【特許請求の範囲】
【請求項１】
室内を仕切る仕切り壁構造であって、樹脂シートの両面に金属シートを積層した方形平板状の複合板で構成され且つ当該複合板の平行な２辺部を背面側に略直角に折曲げられてそれぞれ幅広の側面部および幅狭の側面部が形成された壁パネルと、室内の間仕切り位置にそれぞれ敷設された床側受部材および天井側受部材とを備え、前記壁パネルは、互いに背面側を対向させ且つ相互の幅広の側面部と幅狭の側面部とを重ね合わせた状態で２枚を突き合わせることにより、１組の箱状の壁体を構成すると共に、当該壁体は、前記床側受部材と前記天井側受部材と渡って収められ且つ壁パネルが面一に連続する状態に複数組配列されており、互いに隣接する前記壁体の側面には、板片をＬ字状に折曲げた形状のスペーサーが取り付けられており、当該スペーサーの一辺部は、前記壁体を構成する壁パネルの幅広の側面部と幅狭の側面部との間に介装されてこれら側面部にねじで固定され、かつ、当該スペーサーの他の一辺部は、隣接する壁体のスペーサーの他の一辺部に引掛けられていることを特徴とする仕切り壁構造。
【発明の詳細な説明】
【技術分野】
【０００１】
本発明は、仕切り壁構造に関するものであり、詳しくは、室内を仕切る仕切り壁構造であって、樹脂シートの両面に金属シートを積層して成る複合板を利用し、一層迅速に施工できるようにした仕切り壁構造に関するものである。
【背景技術】
【０００２】
樹脂シートの両面に金属シートを積層した複合板は、軽量で且つ耐久性に優れており、主に建築材料として普及している。例えば、建物の内壁を施工する場合、上記の複合板を使用して予め工場で部品としての壁パネルに加工することにより、これを建築現場に搬入して比較的短期で施工することができる。
【０００３】
上記のような複合板を使用した内壁の構造としては、方形平板状の複合板の平行な２辺部を背面側に折曲げて側面部が形成された壁パネルと、長手方向に直交する断面がＬ字状の型材で構成され且つ床に設置された受部材と、長手方向に直交する断面が逆樋状の型材で構成され且つ天井に設置されたレール状部材とを備え、受部材とレール状部材とを平行かつ並列に配置し、壁パネルの上端部をレール状部材に差しみ、当該壁パネルの下端部を受部材に突き当ててねじ固定するようにした差込み方式の内壁構造が開示されている。斯かる内壁構造は、部品数が少なく、極めて簡単に且つ短期間で施工できる点で優れている（特許文献１参照）。
【先行技術文献】
【特許文献】
【０００４】
【特許文献１】特開２０１１−２２６１５２号公報
【発明の概要】
【発明が解決しようとする課題】
【０００５】
ところで、室内を仕切る仕切り壁についても、上記のような複合板を使用した差込み方式の簡便な構造が望まれる。しかしながら、仕切り壁を構築する場合は、壁パネルとして複合板を前後に組み合わせ且つ横方向に複数組配列して両面を壁面に仕上げるが、軽量化およびコスト低減の観点から可能な限り薄い複合板を使用するため、１枚の壁パネルの表面に外圧が加えられた際、当該壁パネルの僅かな撓みによって背面側の壁パネルやこれに隣接する壁パネルに一時的な変形や揺れが生じるという問題がある。また、室内を仕切る仕切り壁についても、前述の内壁と同様に、一層簡便な構造が望まれる。
【０００６】
本発明は、上記の実情に鑑みてなされたものであり、その目的は、複合板を利用した仕切り壁構造であって、少ない部品数で且つ高い寸法精度で簡単に施工でき、しかも、外圧による変形や揺れを生じることのない剛性に優れた仕切り壁構造を提供することにある。
【課題を解決するための手段】
【０００７】
上記の課題を解決するため、本発明においては、方形平板状の複合板の平行な２辺部に曲げ加工を施してそれぞれ幅広の側面部および幅狭の側面部を形成した剛性の高い壁パネルを使用し、２枚の壁パネルを互いに背面側が対向するように且つ幅広の側面部と幅狭の側面部とが重なり合うように突き合わせることにより、１組の壁体を構成すると共に、床側受部材と天井側受部材とに渡って複数組の壁体を収め且つ配列することにより仕切り壁を構成するようにした。しかも、互いに隣接する壁体の側面にＬ字状のスペーサーをねじで取り付けることにより、重なり合う幅広の側面部と幅狭の側面部を一体化し、かつ、隣接する壁体のスペーサー同士を引掛けることにより、壁パネルの一面に加えられた外力を当該壁体および隣接する壁体に分散させるようにした。
【０００８】
すなわち、本発明の要旨は、室内を仕切る仕切り壁構造であって、樹脂シートの両面に金属シートを積層した方形平板状の複合板で構成され且つ当該複合板の平行な２辺部を背面側に略直角に折曲げられてそれぞれ幅広の側面部および幅狭の側面部が形成された壁パネルと、室内の間仕切り位置にそれぞれ敷設された床側受部材および天井側受部材とを備え、前記壁パネルは、互いに背面側を対向させ且つ相互の幅広の側面部と幅狭の側面部とを重ね合わせた状態で２枚を突き合わせることにより、１組の箱状の壁体を構成すると共に、当該壁体は、前記床側受部材と前記天井側受部材と渡って収められ且つ壁パネルが面一に連続する状態に複数組配列されており、互いに隣接する前記壁体の側面には、板片をＬ字状に折曲げた形状のスペーサーが取り付けられており、当該スペーサーの一辺部は、前記壁体を構成する壁パネルの幅広の側面部と幅狭の側面部との間に介装されてこれら側面部にねじで固定され、かつ、当該スペーサーの他の一辺部は、隣接する壁体のスペーサーの他の一辺部に引掛けられていることを特徴とする仕切り壁構造に存する。
【発明の効果】
【０００９】
本発明に係る仕切り壁構造によれば、複合板から成る壁パネル、床側受部材、天井側受部材およびＬ字状のスペーサーから主に構成され、部品数が少なく、極めて簡単に且つ短期間で施工でき、しかも、２枚の壁パネルを突き合わせ且つ側面部にねじでスペーサーを取り付けることによりこれら壁パネルを一体化して壁体が構成され、更に、隣接する壁体のスペーサー同士を相互に引掛けた構造を備えており、壁パネルの一面に加えられる外力を当該壁体および隣接する壁体に分散できるため、外圧による変形や揺れを生じることがなく、高い剛性を発揮できる。
【図面の簡単な説明】
【００１０】
【図１】本発明に係る仕切り壁構造の主要な部材および施工方法を示す展開斜視図である。
【図２】本発明に係る仕切り壁構造における壁体の係合構造を示す水平断面図である。
【発明を実施するための形態】
【００１１】
本発明に係る仕切り壁構造の一実施形態を図面に基づいて説明する。本発明の仕切り壁構造は、室内を仕切る仕切り壁の構造であり、図１に示すように、複合板からなる壁パネル１、型材からなる床側受部材４ａ及び天井側受部材４ｂ、ならびに、Ｌ字状のスペーサー３から主として構成される。
【００１２】
壁パネル１は、樹脂シートの両面に金属シートを積層した方形平板状の複合板で構成される。壁パネル１は、平面形状が方形の複合板の平行な２辺部を背面側に略直角に折曲げられることにより、建付け状態において正面形状を四角形、通常は長方形に形成され且つその両側にそれぞれ奥行部分としての幅広の側面部１０及び幅狭の側面部１１が形成されている。建付け状態における壁パネル１の標準的な寸法は、意匠面となる正面部の高さが１８２０〜３２００ｍｍ、幅が６５０〜１１４０ｍｍ、折曲げられた幅広の側面部１０の幅（曲げ代の外形寸法）が３３〜１０３ｍｍ、幅狭の側面部１１の幅（曲げ代の外形寸法）１５〜５０ｍｍに設計される。
【００１３】
壁パネル１は、図２に示すように、樹脂シート１ａの両面に金属シート１ｂを積層した複合板からなる。金属シート１ｂ／樹脂シート１ａ／金属シート１ｂの層構成を備えた上記の複合板において、金属シート１ｂとしては、アルミニウム（アルミニウム合金を含む）、ステンレス、鉄、銅、チタン、錫、ニッケル等の金属から成る厚さ約０．１〜１．０mmのシート、通常は厚さ０．２〜０．５ｍｍ程度のアルミニウムシートが使用される。芯材の樹脂シート１ａには、ポリエチレン、ポリプロピレン等のポリオレフィン、ポリ塩化ビニル、ポリアミド、ポリカーボネート、ポリスチレン、ポリヒドロキシルエーテル、酢酸ビニル等の熱可塑性樹脂から成る厚さ０．６〜５．０ｍｍ程度のシートが使用される。
【００１４】
両面の金属シート（例えばアルミニウムシート）１ｂは、エチレン−アクリル酸共重合体、エチレン−酢酸ビニル共重合体、ポリエチレン等の不飽和カルボン酸などの接着剤を使用して樹脂シート１ａに予め十分に密着されている。上記の様な複合板は、溶融押出しされた樹脂シートの両面にアルミニウムシートを重ね合わせ、回転ロールの間に通過させて製造される。斯かる複合板としては、例えば、ポリエチレン製芯材シートの両面にアルミニウムシートを積層して成る三菱樹脂社製の「アルポリック」（商品名）が好適である。
【００１５】
壁パネル１は、例えば長方形に裁断された上記の複合板を使用し、２つの長辺部と平行に溝切り加工を施した後、溝を起点として曲げ加工を施すことにより、長手方向に直交する断面を図１に示すような扁平な略コ字状に形成される。曲げ加工の起点となる上記の溝は、溝切り加工において、背面側のアルミニウムシートとポリエチレンシートの一部を切除することにより、肉薄部分において意匠面側のアルミニウムシートに芯材のポリエチレンシートが僅かに残存する扁平なＵ字溝に構成される。なお、壁パネル１は、工場において寸法取りされた複合板を上記の溝に沿って折曲げるだけで施工現場においても容易に作製できる。
【００１６】
図１示すように、室内の間仕切り位置の床および天井（図示省略）には、壁パネル１で構成された後述する壁体１Ａ，１Ｂ・・の上下端部を支持するため、各々、床側受部材４ａ及び天井側受部材４ｂが敷設される。床側受部材４ａは、長手方向に直交する断面がＬ字状の型材、いわゆるＬ型鋼で構成される。床側受部材４ａのＬ字の一辺の長さは４０〜９０ｍｍ程度に設計される。天井側受部材４ｂは、長手方向に直交する断面が略逆樋状の型材で構成され、当該天井側受部材の敷設状態における２つの立下がり片は、異なる高さ（鉛直方向の辺の長さ）に設定される。例えば、天井側受部材４ｂの一方の立下がり片の高さは４０〜５０ｍｍ程度、他方の立下がり片の高さは５０〜９０ｍｍ程度に設計される。天井側受部材４ｂの一方の立下がり片を短く形成することにより、壁体１Ａ，１Ｂ・・を設置する際にその上端を差し込むようにして建て込むことができる。なお、取扱い性の観点から、通常、床側受部材４ａ及び天井側受部材４ｂの長さ（設置状態における水平方向の長さ）は１８００〜４０００ｍｍ程度に設定される。上記の床側受部材４ａと天井側受部材４ｂとは、平行かつ並列に配置され、各々、スクリュウねじ等により床および天井に固定される。
【００１７】
図１に示すように、壁パネル１は、互いに背面側を対向させ且つ相互の幅広の側面部１０と幅狭の側面部１１とを重ね合わせた状態で２枚を突き合わせることにより、１組の箱状の壁体１Ａを構成している。また、壁体１Ｂも同様にして構成されたものである。そして、壁体１Ａ，１Ｂ・・は、前記床側受部材と前記天井側受部材と渡って収められ且つ壁パネル１，１・・が面一に連続する状態に複数組配列されている。
【００１８】
本発明においては、隣接する各壁体１Ａ，１Ｂ・・の間に均一な目地を構成し、かつ、全体の剛性を高めるため、互いに隣接する壁体１Ａ，１Ｂ・・の側面には、板片をＬ字状に折曲げた形状のスペーサー３が取り付けられている。斯かるスペーサー３は、図１及び図２に示すように、例えば、平面形状が長方形の板状片の長さ方向の約１／３の部位を直角に折曲げた構造の金物である。通常、スペーサー３の幅（板状片の幅）は３０〜５０ｍｍ程度、スペーサー３の長い方の一辺部の長さは１２〜４５ｍｍ程度とされる。また、スペーサー３の短い方の他の一辺部（図１において壁体１Ａの側面から突出している部分）の長さは、図２に示すように、少なくとも複合板の厚さの２倍以上、例えば６〜８ｍｍ程度とされる。
【００１９】
上記のスペーサー３は、図１に示すように、壁体１Ａ，１Ｂ・・の側面に複数個所、例えば壁体１Ａ，１Ｂ・・の高さに沿って上下部および中央部の３個所に取り付けられる。具体的には、図２に示すように、スペーサー３の長い方の一辺部は、例えば１Ａを構成する壁パネル１の幅広の側面部１０と幅狭の側面部１１との間に介装されてこれら側面部にタッピングスクリュウ等のねじ５で固定されている。換言すれば、壁体１Ａ，１Ｂ・・は、壁パネル１の幅広の側面部１０、スペーサー３の一辺部、壁パネル１の幅狭の側面部１１を重ね合わせ、ねじ５を螺着することにより、一体化されている。
【００２０】
本発明の仕切り壁構造は、壁パネル１，１・・が面一となるように上記の壁体１Ａ，１Ｂ・・を配列して構成されており、図２に示すように、壁体１Ａ，１Ｂ・・の配列において、例えば壁体１Ａのスペーサー３の短い方の他の一辺部は、隣接する壁体１Ｂのスペーサー３の他の一辺部に引掛けられている。すなわち、壁体１Ａに取り付けられたスペーサー３の短い方の他の一辺部の先端が、壁体１Ｂに取り付けられたスペーサー３の折曲部分の入り隅部近傍に突き当たり、同様に、壁体１Ｂに取り付けられたスペーサー３の短い方の他の一辺部の先端が、壁体１Ａに取り付けられたスペーサー３の折曲部分の入り隅部近傍に突き当たるように、壁体１Ａと壁体１Ｂとが配置される。
【００２１】
本発明の仕切り壁構造の施工方法は次の通りである。仕切り壁を構築するに当たり、先ず、壁パネル１を準備する。壁パネル１は、所定寸法に型取りされ且つ溝切り加工された平板（複合板）として施工現場に搬入する。平板で搬入することにより、効率的に且つ容易に運搬でき、また、取り扱うことができる。そして、現場においては、上記の溝に沿って平板の２辺部を折曲げ、幅広の側面部１０及び幅狭の側面部１１を有する壁パネル１として構成する。次いで、スペーサー３を取り付けながら２枚の壁パネル１を組み合わせて壁体１Ａ，１Ｂ・・を所要数作製する。また、仕切り壁の構築位置に応じて床に床側受部材４ａを設置し、また、天井に天井側受部材４ｂを設置する。
【００２２】
続いて、壁体１Ａ，１Ｂ・・を床側受部材４ａと天井側受部材４ｂに渡って収め且つ横方向に配列してゆく。壁体１Ａ，１Ｂ・・は、その上端を天井側受部材４ｂの短い立下がり辺側から当該天井側受部材に差し込み、その下端を床側受部材４ａにあてがうようにして建て込む。図示しないが、壁体１Ａ，１Ｂ・・の建て込みにおいては、天井側受部材４ｂの立下がり片にタッピングスクリュウ等のねじを外側から螺着し、壁パネル１の上部を固定し、また、床側受部材４ａの立上り片にねじを外側から螺着し、壁パネル１の下部を固定する。
【００２３】
本発明におおいては、壁体１Ａ，１Ｂ・・を建て込む際、図２に示すように、互いに隣接する壁体１Ａ，１Ｂ・・の側面部に突出したスペーサー３，３同士を引掛ける状態に壁体１Ａ，１Ｂ・・を配置する。これにより、壁体１Ａ，１Ｂ・・の間に均一な目地を構成できる。更に、壁体１Ａ，１Ｂ・・を建て込んだ後は、上記の目地に対し、発泡ポリスチレン等からなるバックアップ材６、および、シリコン樹脂からなる目地材７をを充填し、目地を仕上げ、また、幅木および周り縁（図示省略）を付設して内壁として仕上げる。なお、仕切り壁の施工においては、壁パネル１を建て付けながら壁体１Ａ，１Ｂ・・作製し且つ同時にこれら壁体を配列することもできる。
【００２４】
上記のように、本発明の仕切り壁構造においては、方形平板状の複合板の平行な２辺部に曲げ加工を施してそれぞれ幅広の側面部１０及び幅狭の側面部１１を形成した剛性の高い壁パネル１を使用し、２枚の壁パネル１，１を互いに背面側が対向するように且つ幅広の側面部１０と幅狭の側面部１１とが重なり合うように突き合わせることにより、１組の壁体１Ａを構成すると共に、床側受部材４ａと天井側受部材４ｂとに渡って複数組の壁体１Ａ，１Ｂ・・を収め且つ配列することにより仕切り壁を構成する。しかも、互いに隣接する壁体１Ａ，１Ｂ・・の側面にＬ字状のスペーサー３をねじ５で取り付けることにより、重なり合う幅広の側面部１０と幅狭の側面部１１を一体化して各壁体１Ａ，１Ｂ・・をそれぞれに一体化すると共に、隣接する壁体１Ａ，１Ｂ・・のスペーサー３，３同士を引掛けるようにしている。
【００２５】
従って、本発明の仕切り壁構造においては、例えば壁体１Ａの壁パネル１の一面に加えられた外力を当該壁体１Ａおよび隣接する壁体１Ｂに分散させることができ、外圧による変形や揺れを生じることがなく、高い剛性を発揮できる。また、本発明仕切り壁構造は、部品数が極めて少なく、極めて簡単に且つ短期間で施工できる。更に、本発明においては、前述のように、組立前の平板状の複合板を施工現場に搬入し、施工現場において簡単な曲げ加工により壁パネル１を構成できるため、資材の効率的な運搬が可能であり、また、資材の取扱いや保管も極めて容易である。
【符号の説明】
【００２６】
１  ：壁パネル（複合板）
１ａ：樹脂シート
１ｂ：金属シート
１０：幅広の側面部
１１：幅狭の側面部
１Ａ，１Ｂ：壁体
３  ：スペーサー
４ａ：床側受部材
４ｂ：天井側受部材
５  ：ねじ
６  ：バックアップ材
７  ：目地材
【図１】
2013217094.tif 000003
【図２】
2013217094.tif 000004